(57)【要約】  複数の工具をタレットに取り付け可能な工作機械において、工具の交換作業の効率化を図り、ひいては生産効率の向上を図れる工作機械を提供すること。  制御装置は、タレットに保持された工具のうち、交換が必要な工具である寿命工具が存在するか否かを判定する。制御装置は、ヘッド部の可動可能な範囲内の位置であり、且つ寿命工具を新たな工具と交換する位置である工具交換位置を設定する。制御装置は、寿命工具が存在すると判定した場合に、ヘッド部駆動装置を制御し、ヘッド部を移動させるとともに、タレットを回転させて寿命工具を工具交換位置に位置させる。
2019069426.tif 000002
【特許請求の範囲】
【請求項１】
ワークを保持して第１回転軸を中心に回転するスピンドルと、
前記スピンドルの上方に配置され、工具により前記ワークに対する作業を実行するヘッド部と、
前記ヘッド部を駆動するヘッド部駆動装置と、
制御装置と、
を備え、
前記ヘッド部は、前記工具を保持するタレットを有し、
前記タレットは、前記第１回転軸に対し直交する方向に沿った第２回転軸を中心に回転可能に設けられ、外周部分に前記工具を保持し、
前記制御装置は、
前記タレットに保持された前記工具のうち、交換が必要な前記工具である寿命工具が存在するか否かを判定する判定部と、
前記ヘッド部の可動可能な範囲内の位置であり、且つ前記寿命工具を新たな前記工具と交換する位置である工具交換位置を設定する交換位置設定部と、を有し、
前記判定部により前記寿命工具が存在すると判定された場合に、前記ヘッド部駆動装置を制御し、前記ヘッド部を移動させるとともに、前記タレットを回転させて前記寿命工具を前記工具交換位置に位置させる、工作機械。
【請求項２】
前記判定部は、前記タレットに保持された複数の前記工具を１つのグループとして処理し、１つの前記グループに属する複数の前記工具が全て前記寿命工具となった場合に、前記寿命工具が存在すると判定する、請求項１に記載の工作機械。
【請求項３】
前記制御装置は、
前記グループに属する複数の前記工具のうち、前記工具交換位置に位置させた前記寿命工具を新たな前記工具に交換した旨を受け付ける受付部を有し、
交換した旨を前記受付部が受け付けたことに応じて前記タレットを回転させ、前記グループに属する複数の前記工具のうち、交換前の前記工具を前記工具交換位置に位置させる、請求項２に記載の工作機械。
【請求項４】
前記制御装置は、
前記工具交換位置の変更を受け付けたことに応じて、前記工具交換位置を変更する位置変更部を有し、
前記位置変更部が前記工具交換位置を変更したことに応じて、変更後の前記工具交換位置を基準に前記ヘッド部駆動装置を制御する、請求項１乃至請求項３の何れかに記載の工作機械。
【請求項５】
前記スピンドルの前記第１回転軸は、
前記工作機械の設置面と平行な方向である軸方向に沿って配置され、
前記ヘッド部駆動装置は、
前記軸方向に沿って前記ヘッド部を移動可能に構成され、
前記工具交換位置は、
前記スピンドルから前記軸方向に沿って離間した位置に設定される、請求項１乃至請求項４の何れかに記載の工作機械。
【発明の詳細な説明】
【技術分野】
【０００１】
本発明は、タレットに取り付けた工具によってワークに対する各種作業を行う工作機械に関する。
【背景技術】
【０００２】
従来より、ワークに対して穴あけ、旋盤、研磨、検査等の各種作業を行う工作機械について提案されている。例えば、特許文献１に記載された工作機械は、工具マガジンと、主軸と、補助マガジンとを備えている。工具マガジンには、回転体の外周部分に複数の把持機構が設けられている。複数の把持機構の各々には、交換用の工具が把持されている。主軸は、工具を交換する際、工具マガジンの位置まで移動し、空の把持機構に使用中の工具を把持させた後、別の把持機構から新たな工具を受け取る。主軸は、工具を交換しながら、工具によってワークに対する各種作業を行う。【０００３】
また、この工作機械では、耐用時間の経過や折損等によって使用できなくなった工具（以下、「寿命工具」という場合がある）を工具交換位置に配置する。具体的には、工具の延べ使用時間が耐用時間に達したり、工具が使用中に折損したりすると、主軸は、その工具、即ち、寿命工具を、工具交換位置に配置された補助マガジンまで搬送する。補助マガジンは、工具交換位置と退避位置との間を、作業員の手動操作によって移動可能となっている。作業員は、補助マガジンを退避位置まで移動させ、寿命工具を新たな工具と交換する。
【先行技術文献】
【特許文献】
【０００４】
【特許文献１】特開２０００−３０８９３６号公報
【発明の概要】
【発明が解決しようとする課題】
【０００５】
ところで、上記した工作機械では、工具マガジンに配置した複数の工具の中から１つの工具を主軸に取り付け、その工具によってワークに対する各種作業を行う。即ち、回転する主軸に工具を１つ取り付け、その工具によって作業を行う構成となっている。これに対し、工作機械の中には、ワークに対して作業を行うヘッド部にタレットを設け、そのタレットの外周部分に複数の工具を取り付け可能なものがある。この種の工作機械では、タレットを回転させ、使用する工具を変更しながらワークに対する各種作業を行う。【０００６】
一方で、上記した特許文献１の工作機械では、主軸に１つの工具しか取り付けられていないため、主軸に取り付けた工具が寿命工具となれば、主軸を工具交換位置に移動させることで寿命工具を交換できた。しかしながら、上記したタレットを備える工作機械では、タレットの回転、即ち、使用する工具の変更にともなって、ヘッド部における工具の位置がその時々によって変更されるため、寿命工具の交換作業が困難となる。【０００７】
そこで、本願は、複数の工具をタレットに取り付け可能な工作機械において、工具の交換作業の効率化を図り、ひいては生産効率の向上を図れる工作機械を提供することを目的とする。
【課題を解決するための手段】
【０００８】
本願は、ワークを保持して第１回転軸を中心に回転するスピンドルと、前記スピンドルの上方に配置され、工具により前記ワークに対する作業を実行するヘッド部と、前記ヘッド部を駆動するヘッド部駆動装置と、制御装置と、を備え、前記ヘッド部は、前記工具を保持するタレットを有し、前記タレットは、前記第１回転軸に対し直交する方向に沿った第２回転軸を中心に回転可能に設けられ、外周部分に前記工具を保持し、前記制御装置は、前記タレットに保持された前記工具のうち、交換が必要な前記工具である寿命工具が存在するか否かを判定する判定部と、前記ヘッド部の可動可能な範囲内の位置であり、且つ前記寿命工具を新たな前記工具と交換する位置である工具交換位置を設定する交換位置設定部と、を有し、前記判定部により前記寿命工具が存在すると判定された場合に、前記ヘッド部駆動装置を制御し、前記ヘッド部を移動させるとともに、前記タレットを回転させて前記寿命工具を前記工具交換位置に位置させる、工作機械を開示する。
【発明の効果】
【０００９】
本開示の工作機械によれば、制御装置は、寿命工具が存在する場合、ヘッド部を移動させるとともに、タレットを回転させて寿命工具を工具交換位置に位置させる。これにより、作業の内容に応じてタレットが回転し、ヘッド部における寿命工具の位置が変更された場合であっても、工具の交換が発生すると、寿命工具を所定の工具交換位置に自動で移動させることができる。その結果、タレットを備えた工作機械において、工具の交換作業の効率化を図り、ひいては生産効率の向上を図ることができる。
【図面の簡単な説明】
【００１０】
【図１】本実施形態に係る工作機械装置の外観正面図である。
【図２】ベースユニット及びローダーの構造を示した斜視図である。
【図３】ベースユニット及びローダーの構造を示した側面図である。
【図４】作業機モジュールの内部構造を示す正面図である。
【図５】作業機モジュールの内部構造を示す側面図である。
【図６】作業機モジュールの内部構造を示す斜視図である。
【図７】作業機モジュールの制御構成を示すブロック図である。
【図８】切削加工の処理手順を示すフローチャートである。
【図９】工具交換処理の処理手順を示すフローチャートである。
【図１０】タレットを回転させた後に、１番の工具を、工具交換位置まで移動させる状態を示す側面図である。
【発明を実施するための形態】
【００１１】
以下、本願の工作機械を具体化した一実施形態について、図面を参照しつつ詳細に説明する。先ず、本実施形態に係る工作機械装置１の全体構成について図１を用いて説明する。図１は本実施形態に係る工作機械装置１の外観正面図である。
【００１２】
（工作機械装置の全体構成）
本実施形態に係る工作機械装置１は、図１に示すように、複数（本実施例では５個）のベースユニット２Ａ〜２Ｅを有するベース３と、ベース３の上に配列された複数（本実施例では９個）の作業機モジュール４Ａ〜４Ｉとを備えている。工作機械装置１は、ワークに対して各種作業を行う工作機械をモジュール化し、複数の作業機モジュール４Ａ〜４Ｉで１つのラインを構成している。本実施形態の工作機械装置１は、例えば、それら複数の作業機モジュール４Ａ〜４Ｉによって１つのワークに対して順次作業を行う。
【００１３】
また、図１に示すように、基本的には、１つのベースユニットに対して２つの作業機モジュールが配置されるが、１つのベースユニットに対して１つの作業機モジュールのみを配置する、或いは３つ以上の作業機モジュールを配置する構成としても良い。例えば、図１に示す例では、最も左側に配置されたベースユニット２Ａは、１つの作業機モジュール４Ａが配置され、他のベースユニット２Ｂ〜２Ｅには各２個の作業機モジュール４Ｂ〜４Ｉが配置されている。
【００１４】
また、以下の説明では、図１に示す工作機械装置１を正面から見た場合における上下方向をＸ方向、左右方向をＹ方向、前後方向をＺ方向と称して、説明する。即ち、作業機モジュール４Ａ〜４Ｉが配列されている左右方向はＹ方向であり、作業機モジュール４Ａ〜４Ｉの配列方向と交差する工作機械装置１の奥行き方向（前後方向）がＺ方向である。
【００１５】
複数の作業機モジュール４Ａ〜４Ｉは、Ｙ方向に沿って一列に配列され、１つのラインを構成している。また、各作業機モジュール４Ａ〜４Ｉは、等間隔で且つ互いの側壁が近接するように配列されている。尚、作業機モジュール４Ａ〜４Ｉは、後述するようにワークに対する作業内容が異なる複数種類のモジュールが存在する。
【００１６】
また、作業機モジュール４Ａ〜４ＩにおけるＹ方向の寸法は、Ｚ方向の寸法に対して相当に小さくされている。一方、ベースユニット２Ａ〜２Ｅの各々は、Ｘ方向の上方に載置される作業機モジュール４Ａ〜４Ｉに対応した寸法を有している。例えば、ベースユニット２ＡのＹ方向の寸法は、１つの作業機モジュール４ＡのＹ方向の寸法と略同一となっている。また、ベースユニット２Ｂ〜２Ｅの各々におけるＹ方向の寸法は、２つの作業機モジュール（例えば、作業機モジュール４Ｂ，４Ｃ）のＹ方向の寸法と略同一となっている。従って、ベース３のＹ方向の寸法は、Ｙ方向に並ぶ９つの作業機モジュール４Ａ〜４Ｉを合わせた寸法と略同一となっている。以上のような構成から、本実施形態に係る工作機械装置１は、９つの作業機モジュール４Ａ〜４ＩをＹ方向に並べたにも拘わらず、Ｙ方向における長さを比較的短いものとすることができる。
【００１７】
また、ベース３の各ベースユニット２Ａ〜２Ｅは、互いに固定されており、１つのベースを構成している。上述したように基本的にベースユニット２Ａを除く他のベースユニット２Ｂ〜２Ｅの各々は、２つの作業機モジュール４Ｂ〜４Ｉを載置させることが可能となっている。それら４つのベースユニット２Ｂ〜２Ｅの各々は、例えば、規格化されており、互いに同じ形状、寸法、構造とされている。これにより、ベース３を構成するベースユニット２Ａ〜２Ｅの数を適宜増減させることが可能であり、それに伴って配列する作業機モジュール４Ａ〜４Ｉの数についても自由に変更することが可能となる。尚、本実施形態では、ベース３を複数のベースユニット２Ａ〜２Ｅで構成しているが、ベース３をベースユニット２Ａ〜２Ｅに分割せずに単体で構成しても良い。
【００１８】
次に、ベースユニット２Ａ〜２Ｅの内部構造について説明する。図２は、ベースユニット２Ｂ及びローダー２１の構造を示した斜視図である。尚、ベースユニット２Ａ〜２Ｅは載置される作業機モジュールの数が異なるのみで、基本的に同一の構成を有している。このため、以下の説明では、主にベースユニット２Ｂについて説明し、他のベースユニット２Ａ、２Ｃ〜２Ｅについての説明を適宜省略する。
【００１９】
図２に示すように、ベースユニット２Ｂは、Ｚ方向に長い略直方体形状の本体部１０を備える。本体部１０の上部には、載置される作業機モジュールの数に応じた数のレール１１が設けられている。本実施形態のベースユニット２Ｂには、２つの作業機モジュール４Ｂ、４Ｃが載置される（図１参照）。このため、ベースユニット２Ｂの本体部１０には、２対のレール１１がＹ方向に並んで設けられている。
【００２０】
一方、作業機モジュール４Ｂ、４Ｃのベースユニット２Ｂに接する面には、レール１１と対応する車輪（図示略）が設けられている。２つの作業機モジュール４Ｂ，４Ｃの各々は、レール１１上で車輪を移動させることによって、Ｚ方向にスライド可能となっている。これにより、ユーザは、ベースユニット２Ｂに対して作業機モジュール４Ｂ、４Ｃの各々を容易にＺ方向に移動させ、作業機モジュール４Ｂ，４Ｃを引き出すことができる。
【００２１】
更に、作業機モジュール４Ｂ、４Ｃは、ベースユニット２Ｂから離脱可能な位置まで移動させることが可能となっている。その結果、ベース３上に配列された各作業機モジュール４Ａ〜４Ｉの一部の入れ替えや並べ替えを容易に行うことが可能となる。また、後述する寿命工具の交換作業を、各作業機モジュール４Ａ〜４Ｉを引き出した状態で行うことも可能となる。
【００２２】
また、図１に示すように、作業機モジュール４Ｂ〜４Ｈの正面側の側壁には、コントローラ５が配置されている。コントローラ５は、液晶ディスプレイ８９（図７参照）や操作部９１（図７参照）を備えており、工作機械装置１の現在の作動状況や設定状況等を液晶ディスプレイ８９に表示する、あるいは工作機械装置１に関する各種操作を操作部９１により受け付ける。
【００２３】
作業機モジュール４Ａ〜４Ｉは、モジュール毎に作業内容が決められている。例えば、本実施形態の作業機モジュール４Ａ〜４Ｉの各々は、工作機械装置１内にワークを投入する入口モジュール、切削加工を行う旋盤モジュール、ドリルによる孔開けやミーリング加工等を行うドリミルモジュール、加工されたワークを検査する検測モジュールとして機能する。あるいは、本実施形態の作業機モジュール４Ａ〜４Ｉは、歯切り加工を行うホブモジュール、ワークの仮置きを行う仮置きモジュール、工作機械装置１内からワークを排出する出口モジュールとして機能する。
【００２４】
尚、ベース３に対してどの種類の作業機モジュールを配置するかは、ワークに対する作業内容によって異なる。また、ベース３に対して配置する作業機モジュールの数もワークに対する作業内容によって異なる。また、作業機モジュールの並び順については、一部の作業機モジュールを除いて作業内容に応じて任意に変更可能である。
【００２５】
例えば、図１に示す例では、ベース３の最も左側の作業機モジュール４Ａは、ワークを投入する入口モジュールである。最も右側の作業機モジュール４Ｉは、ワークを排出する出口モジュールである。作業機モジュール４Ｂ〜４Ｆは、旋盤モジュール、仮置きモジュール、検測モジュール、ホブモジュールなどである。作業機モジュール４Ｇ，４Ｈは、ドリミルモジュールである。そして、工作機械装置１は、最も左側に配置された入口モジュールによって投入されたワークを、左側にある各作業機モジュールから順に、各作業機モジュールによる作業が行われ、最終的に出口モジュールから排出されるようになっている。
【００２６】
（ローダー２１の構成）
本実施形態の工作機械装置１は、図２に示すように、ワークをＹ方向に移送する搬送手段としてローダー２１を備えている。ローダー２１は、ワークの搬送や、ワークの反転を行う。また、ローダー２１は、後述する旋盤モジュールのスピンドル５１（図５参照）へのワークの装着、及びスピンドル５１からのワークの離脱を行う。尚、工作機械装置１が備えるローダー２１の数は、例えば、ベースユニット２Ａ〜２Ｅの数に比例して増大する。ローダー２１は、例えば、２台の作業機モジュールを載置した２つのベースユニットに対して１台、即ち、合計で４台の作業機モジュールに対して１台のローダー２１を配置する。例えば、本実施形態では、入口モジュールを載置されたベースユニット２Ａを除けば４つのベースユニット２Ｂ〜２Ｅが存在するため、ローダー２１は、２台配置されることとなる。
【００２７】
図３は、ベースユニット２Ｂ及びローダー２１の構造を示した側面図である。図２及び図３に示すように、ローダー２１は、テーブル２４の上に配置されている。テーブル２４は、ベースユニット２Ｂ（本体部１０）の上端と略同一の高さに配置されている。ローダー２１は、本体部１０の前面（図３における左側の面）に設けられたレールに沿って、テーブル２４とともに作業機モジュール４Ａ〜４Ｉの配列方向であるＹ方向に移動可能に構成されている。ローダー２１は、本体部１０の前面と、工作機械装置１（作業機モジュール４Ｂ，４Ｃ及びベースユニット２Ｂ）の外壁（図１に示す前面）との間に設けられた作業空間内をＹ方向に移動する。本実施形態の作業機モジュール４Ａ〜４Ｉの各々は、前面パネル７（図１参照）を開閉可能となっている。前面パネル７は、例えば、Ｘ方向の下方から上方に向かって回動可能に構成されている。ユーザは、前面パネル７を回動させ開けることで、ローダー２１の確認や後述する工具交換位置Ｐ１（図１０参照）に位置された工具７７を交換党することができる。
【００２８】
ローダー２１の先端部には、ワーク４０（図３参照）を保持する把持部２５が設けられている。ローダー２１は、把持部２５でワーク４０を保持した状態でＹ方向へ移動することによって、作業機モジュール４Ａ〜４Ｄ間でワーク４０を移送する。
【００２９】
本実施形態のローダー２１は、第１アーム２６及び第２アーム２８を有する多関節型ロボットであり、角度を変位可能とする複数の関節部を有する。具体的には、ローダー２１は、テーブル２４と第１アーム２６との接続部分にある第１関節部２７と、第１アーム２６と第２アーム２８との接続部分にある第２関節部２９と、第２アーム２８と把持部２５との接続部分にある第３関節部３０を備えている。
【００３０】
各関節部には、駆動軸が設けられている。駆動軸は、例えば駆動源としてサーボモータを備える。具体的には、第１関節部２７は、第１駆動軸３１を駆動させることによって、テーブル２４に対する第１アーム２６の角度を変位させる。また、第２関節部２９は、第２駆動軸３２を駆動させることによって、第１アーム２６に対する第２アーム２８の角度を変位させる。また、第３関節部３０は、第３駆動軸３３を駆動させることによって、第２アーム２８に対する把持部２５の角度を変位させる。
【００３１】
作業機モジュール４Ａ〜４Ｉの制御装置８１（図７参照）は、第１〜第３駆動軸３１〜３３を制御することによってローダー２１の姿勢を自由に制御することが可能となっている。例えば、制御装置８１は、図３に実線で示す第１アーム２６及び第２アーム２８を折り畳んだ状態にすることができる。また、制御装置８１は、例えば、図３に破線で示すように、第１アーム２６及び第２アーム２８を伸ばして把持部２５で保持したワーク４０をスピンドル５１のチャック６１（図５参照）に装着する、あるいはスピンドル５１からワーク４０を離脱することが可能となっている。
【００３２】
また、テーブル２４の下方には、ローダー回転装置４１が設けられている。ローダー回転装置４１は、Ｘ方向に沿った回転軸を中心にテーブル２４を回転させ、テーブル２４上に配置されたローダー２１を回転させることが可能となっている。制御装置８１は、ローダー回転装置４１を制御することにより、ローダー２１全体の向きを変更することができる。
【００３３】
（ヘッド部５３及びスピンドル５１の構成）
上記したように本実施形態の作業機モジュール４Ａ〜４Ｉの各々は、旋盤モジュールとして構成される場合がある。以下の説明では、作業機モジュール４Ｂを、本願の工作機械の一例である旋盤モジュールとして構成した場合について説明する。図４は、旋盤モジュールとして構成した作業機モジュール４Ｂの内部構造を示す正面図である。図５は、作業機モジュール４Ｂの内部構造を示す側面図である。図６は、作業機モジュール４Ｂの内部構造を示す斜視図である。図７は、作業機モジュール４Ｂの制御構成の一例を示している。
【００３４】
図４〜図７に示すように、作業機モジュール４Ｂは、スピンドル５１と、ヘッド部５３と、ヘッド部駆動装置５５と、スピンドル回転装置５９、チャック開閉装置６３などを備えている。スピンドル５１は、作業機モジュール４Ｂの本体部分に取り付けられた基台５７に対して回転可能に組み付けられている。スピンドル回転装置５９は、スピンドル５１を回転させる装置である。スピンドル回転装置５９は、駆動源として、例えばサーボモータを備える。スピンドル回転装置５９は、サーボモータの駆動に応じて図５に示すＺ方向に沿った第１回転軸Ｘ１を中心にスピンドル５１を回転させる。本実施形態のスピンドル５１の第１回転軸Ｘ１は、作業機モジュール４Ｂ（工作機械装置１）を設置した設置面９（図１参照）と平行な方向であるＺ方向（軸方向の一例）に沿った軸である。尚、スピンドル５１は、Ｚ方向に沿った第１回転軸Ｘ１を中心に回転する構成に限らず、例えば、Ｘ方向（設置面９に垂直な方向）に沿った回転軸を中心に回転する構成でも良い。
【００３５】
スピンドル５１の先端部（図５における右側端部）には、チャック６１が取り付けられている。チャック６１は、複数（本実施形態では３つ）のチャック爪６１Ａと、ワーク４０（図３参照）を装着される台座部６１Ｂとを備えている。３つのチャック爪６１Ａは、円板形状の台座部６１Ｂの周囲を取り囲むように配置されている。チャック爪６１Ａは、例えば、台座部６１Ｂの周方向において等間隔に配置されている。
【００３６】
上記したように、ローダー２１は、図３に破線で示す伸びた状態になって、把持部２５で保持したワーク４０をチャック６１の台座部６１Ｂに装着する。３つのチャック爪６１Ａは、チャック開閉装置６３（図７参照）の駆動に応じて、台座部６１Ｂの中心、即ち、スピンドル５１の回転中心に向かって移動する。チャック開閉装置６３は、例えば、駆動源としてのサーボモータや、チャック爪６１Ａを移動させるアクチュエーター等を備えている。制御装置８１は、ローダー２１を制御して台座部６１Ｂにワーク４０を装着した後、チャック開閉装置６３を制御してチャック爪６１Ａを移動させる。ワーク４０は、台座部６１Ｂと３つのチャック爪６１Ａとによって固定される。ワーク４０は、スピンドル５１の回転にともなって第１回転軸Ｘ１を中心に回転する。
【００３７】
また、ヘッド部５３は、ヘッド本体部７１と、タレット７３とを備えている。ヘッド部５３は、Ｘ方向におけるスピンドル５１の上方に配置されている。ヘッド本体部７１は、略箱型形状をなし、移動機構６５の先端部に取り付けられている。ヘッド部駆動装置５５は、例えば、基台５７に内蔵されたサーボモータ等を備える。移動機構６５は、基台５７によって基端部を保持されており、ヘッド部駆動装置５５の駆動に応じてＺ方向に伸縮する。これにより、ヘッド本体部７１は、移動機構６５の伸縮に応じてＺ方向の任意の位置に移動する。また、移動機構６５は、ヘッド部駆動装置５５の駆動に応じてＸ方向へスライド移動する。これにより、ヘッド本体部７１は、移動機構６５のスライド移動に応じてＸ方向の任意の位置へ移動する。即ち、本実施形態のヘッド部５３は、Ｘ方向及びＺ方向の２方向に移動可能に構成されている。尚、ヘッド部５３を、１方向のみに移動可能にした構成や、３方向（Ｘ、Ｙ、Ｚ方向）に移動可能にした構成としても良い。
【００３８】
タレット７３は、略箱型形状のヘッド本体部７１の下面に取り付けられている。タレット７３は、Ｘ方向（上下方向）に厚い板状をなしている。タレット７３には、外周面にホルダ７５を取り付ける取付面７３Ａが形成されている。本実施形態のタレット７３は、例えば、８つの取付面７３Ａを外周面に形成されており、各取付面７３Ａにホルダ７５を取り付け可能となっている。タレット７３は、Ｘ方向から見た場合に正八角形をなしている。従って、本実施形態のタレット７３は、Ｘ方向に厚い正八角形の板状をなしている。
【００３９】
ヘッド部駆動装置５５は、タレット７３を旋回させる装置として、例えば、ヘッド部５３に内蔵されたサーボモータや、タレット７３を取り付けられサーボモータの駆動に応じて回転する出力軸等を備える。タレット７３は、ヘッド部駆動装置５５の駆動に応じてＸ方向に沿った第２回転軸Ｘ２を中心に回転する。本実施形態の第２回転軸Ｘ２は、スピンドル５１の第１回転軸Ｘ１に対し直交する方向（Ｘ方向）に沿った軸である。
【００４０】
８つの取付面７３Ａの各々には、ホルダ７５を取り付けるホルダ取付部７３Ｂが設けられている。ホルダ取付部７３Ｂには、例えば、ホルダ７５に挿通させたボルトを螺合するためのネジ溝が形成されている。これにより、ホルダ７５は、ボルトの締め付けによってタレット７３に対し着脱可能となっている。尚、図４〜図６は、一例として、１つのホルダ７５のみをタレット７３に取り付けた状態を示している。
【００４１】
また、取付面７３Ａの各々には、取付面７３Ａ（ホルダ７５）を互いに識別するための１〜８の数字（タレット番号７３Ｄ）が設けられている。これにより、ユーザは、タレット番号７３Ｄを確認することで、ホルダ７５やホルダ７５に取り付けられた工具７７を識別することができる。尚、図４は、タレット番号７３Ｄの「１番」を手前側に位置させた状態を示している。また、図５は、タレット番号７３Ｄの「１番」をチャック６１側に位置させた状態を示している。
【００４２】
ホルダ７５には、工具７７を取り付けるための工具取付部７５Ａが設けられている。工具７７は、例えば、刃（バイト）であり、ワーク４０の切削加工等に用いられる。工具７７は、例えば、ネジの締め付けによって工具取付部７５Ａに対して固定される。ヘッド部５３は、タレット７３を回転させ、Ｚ方向においてチャック６１に近接する工具７７、即ち、チャック６１に固定されたワーク４０に対向する工具７７を変更することで、切削加工等に使用する工具７７を変更する。尚、本願の工具７７は、刃に限らず、ドリル等でも良い。
【００４３】
そして、本実施形態の作業機モジュール４Ｂは、制御装置８１の制御に基づいて、チャック爪６１Ａ及び台座部６１Ｂで固定したワーク４０に対して工具７７により切削加工等を行う。作業機モジュール４Ｂは、タレット７３を回転させ、使用する工具７７をワーク４０側（チャック６１側）に配置する。作業機モジュール４Ｂは、スピンドル５１を回転させ、チャック６１に固定したワーク４０を回転させつつ、ホルダ７５に固定された工具７７をワーク４０に当て切削加工等を行う。
【００４４】
（制御装置８１の構成）
制御装置８１は、図７に示すように、制御部８３、複数の駆動回路８５、記憶装置８７を備えている。制御部８３は、ＣＰＵ，ＲＯＭ，ＲＡＭ等を備え、コンピュータを主体とするものであり、複数の駆動回路８５に接続されている。複数の駆動回路８５は、上記したコントローラ５、第１〜第３駆動軸３１〜３３、ローダー回転装置４１、ヘッド部駆動装置５５、スピンドル回転装置５９、チャック開閉装置６３に接続されている。駆動回路８５は、サーボモータに供給する電力を変更するアンプ等を備える。これにより、制御部８３は、駆動回路８５を介して、第１〜第３駆動軸３１〜３３、ヘッド部駆動装置５５等の作動を制御可能となっている。尚、上記したように、ローダー２１は、複数の作業機モジュール４Ａ〜４Ｉにより共用される場合がある。この場合、例えば、複数の作業機モジュール４Ａ〜４Ｉの何れかがローダー２１を制御しても良く、あるいは工作機械装置１の制御装置がローダー２１を統括的に制御しても良い。
【００４５】
記憶装置８７は、例えば、ハードディスクやメモリ等を備えている。本実施形態の制御部８３は、記憶装置８７に記憶された制御データＤ１を読み込んで、ワーク４０に対する各種作業（切削加工等）を実行する。制御データＤ１は、例えば、作業機モジュール４Ｂの一般的作動を制御するためのプログラム、生産するワーク４０の種類、作業に使用する工具７７の種類、作業時におけるワーク４０に対する工具７７の位置等のデータが設定されている。ここでいうプログラムは、例えば、シーケンス制御のプログラム（ラダー回路）やＮＣプログラムなどである。また、本実施形態の制御データＤ１には、後述する使用可能時間の経過や折損等により交換が必要となった工具７７（以下、寿命工具という場合がある）を交換する工具交換位置Ｐ１（図１０参照）の位置情報が設定されている。制御装置８１は、この工具交換位置Ｐ１の位置情報に基づいて、工具交換位置Ｐ１の初期位置を設定する。尚、以下の説明では、制御装置８１の制御部８３が、制御データＤ１を実行して各装置を制御することを、単に「装置が」と記載する場合がある。例えば、「ヘッド部５３が移動する」とは、「制御装置８１が、制御部８３により制御データＤ１を実行してヘッド部駆動装置５５の作動を制御し、ヘッド部駆動装置５５の作動によってヘッド部５３を移動させる」ことを意味している。
【００４６】
また、作業機モジュール４Ｂは、上述したようにユーザの操作を受け付けるとともに、情報の表示を行うコントローラ５を備えている。コントローラ５は、作業機モジュール４Ｂの現在の作動状況や設定状況等を表示する液晶ディスプレイ８９と、ユーザの操作を受け付ける操作部９１とを備える。操作部９１を、ハードボタンで構成しても良いし、液晶ディスプレイ８９の前面に配置されたタッチパネルで構成しても良いし、あるいはその両方で構成しても良い。液晶ディスプレイ８９の表示画面は、制御部８３によって制御される。そして、ユーザは、液晶ディスプレイ８９の表示内容を確認するとともに、操作部９１を操作することによって作業機モジュール４Ｂに対する各種操作を行う。本実施形態のコントローラ５は、例えば、後述するように作業機モジュール４Ｂの工具交換位置Ｐ１を任意の位置に変更する場合に用いられる。
【００４７】
（工具７７の交換作動）
次に、上記構成を有する本実施形態の作業機モジュール４Ｂにおいて制御装置８１によって実行される寿命工具の交換作動について図８及び図９に基づいて説明する。以下の説明では、寿命工具の交換作動として、切削加工に使用した工具７７の交換作動について説明する。図８は、切削加工の処理手順を示すフローチャートである。図９は、工具交換処理の処理手順を示すフローチャートである。
【００４８】
作業機モジュール４Ｂを含む工作機械装置１は、例えば、ユーザから所定の操作を実行されることで、ワーク４０に対する各種作業を開始する。作業機モジュール４Ｂの制御装置８１は、図８のステップ（以下、Ｓと略記する）１１において、切削加工を開始する。制御装置８１は、上流側の作業機モジュール４Ａからローダー２１によってワーク４０を受け取り、チャック６１に装着する。制御装置８１は、例えば、タレット７３を回転させ、使用する工具７７を切り替えながらワーク４０に対する切削加工を実行する。制御装置８１は、切削加工を終了させると、加工したワーク４０をローダー２１によって下流の作業機モジュール４Ｃに排出する。
【００４９】
次に、制御装置８１は、切削加工に使用した全ての工具７７について使用回数をカウントアップする（Ｓ１３）。そして、Ｓ１５において、制御装置８１は、工具７７の各々の使用回数が予め設定された寿命値に比べて小さいか否かを判定する。従って、制御装置８１は、切削加工を終了する毎に、その切削加工で使用した全ての工具７７の使用回数をカウントアップする。そして、使用回数が寿命値を超えた工具７７、即ち、寿命工具が存在するか否かを判定する。この寿命値は、例えば、工具７７の材料や形状等に基づいた使用可能（耐用）回数である。
【００５０】
尚、寿命工具を判定するタイミングは、切削加工を終了した時点に限らない。例えば、制御装置８１は、切削加工中にタレット７３を回転させ、使用する工具７７を切り替えるタイミングで、使用した工具７７が寿命工具であるか否かを判定しても良い。また、寿命工具の判定方法は、使用回数に限らない。例えば、制御装置８１は、工具７７を使用した時間に基づいて、寿命工具であるか否かを判定しても良い。また、制御装置８１は、折損等した工具７７を、寿命工具として判定しても良い。例えば、制御装置８１は、切削加工時にホルダ７５やチャック６１に作用するトルクの変化に基づいて工具７７の折損を検出し、折損した工具７７を寿命工具として判定しても良い。また、制御装置８１は、Ｓ１５において、タレット７３に取り付けられた全ての工具７７について寿命値を判定せず、Ｓ１３で使用した、即ち、直前の切削加工で使用した工具７７のみについて寿命値を判定しても良い。これにより、Ｓ１５における判定処理の処理負荷を軽減できる。
【００５１】
制御装置８１は、Ｓ１５において、全ての工具７７の使用回数が寿命値よりも小さいことに応じて（Ｓ１５：ＹＥＳ）、図８に示す処理を終了する。この場合、制御装置８１は、新たなワーク４０の搬入等が発生するまで待機状態となる。そして、制御装置８１は、次の切削加工以降においても、同様に、図８及び図９に示す寿命工具の判定を実行する。
【００５２】
ここで、本実施形態の制御装置８１は、複数の工具７７について通常管理を行うか、グループ管理を行うか設定可能となっている。制御装置８１は、例えば、コントローラ５の操作部９１に対する操作入力に基づいて、通常管理とグループ管理とを切り替える。ここでいう通常管理とは、タレット７３に取り付けられた工具７７のそれぞれの使用回数（寿命）を個別に管理する方法である。通常管理が設定された場合、制御装置８１は、Ｓ１５において、工具７７のそれぞれについて使用回数が寿命値以上となったか否か、即ち、寿命工具であるか否かを判定する。そして、制御装置８１は、複数の工具７７のいずれか１つでも寿命工具となると（Ｓ１５：ＮＯ）、工具交換処理（Ｓ１７）を開始する。
【００５３】
一方、グループ管理とは、タレット７３に取り付けられた複数の工具７７を１つのグループとして管理する方法である。１つのグループには、例えば、タレット７３に取り付けられた複数の工具７７のうち、２以上の工具７７が属する。グループ管理が設定された場合、制御装置８１は、Ｓ１５において、１つのグループに属する複数の工具７７が全て寿命工具となった場合に（Ｓ１５：ＮＯ）、寿命工具が存在すると判定し、工具交換処理（Ｓ１７）を開始する。
【００５４】
これによれば、例えば、同種類の工具７７を、タレット７３に複数個取り付ける。この同種類の工具７７は、使用頻度が高い、あるいは使用可能期間が短い工具７７などである。そして、同種類の工具７７を１つのグループとして設定し、そのグループ内の工具７７が全て寿命工具となった場合に交換作業を行えば、複数の寿命工具をまとめて交換でき交換作業の効率化が図れる。また、同一グループ内に交換時期に到達していない工具７７が一つでも存在する間は（Ｓ１５：ＹＥＳ）、その工具７７を使用して切削加工を継続できる。換言すれば、交換作業にともなう生産ラインの停止時間を短くして、生産効率を向上できる。尚、上記したグループ管理において、タレット７３に取り付けられた複数の工具７７は、２以上のグループに分かれる場合がある。また、タレット７３に取り付けられた複数の工具７７の中には、グループに属さない工具７７が発生する場合がある。
【００５５】
制御装置８１は、Ｓ１５において、上記した通常管理又はグループ管理に応じて寿命工具の発生を判定し、寿命工具が発生すると（Ｓ１５：ＮＯ）、図９に示す工具交換処理を開始する（Ｓ１７）。制御装置８１は、図９のＳ２１において、工具７７の管理方法として通常管理が設定されているか、グループ管理が設定されているかを判定する。
【００５６】
制御装置８１は、通常管理が設定されていた場合（Ｓ２１：ＹＥＳ）、最も若番のタレット番号７３Ｄの寿命工具を交換対象の工具７７に決定する（Ｓ２３）。例えば、１つの工具７７が寿命工具となれば、その工具７７が交換対象として決定される。また、Ｓ１５において複数の工具７７が寿命工具であると判定された場合、その複数の寿命工具のうち、工具７７を取り付けたタレット番号７３Ｄの数字が小さい寿命工具を優先して交換対象の工具７７に決定する。これにより、複数の寿命工具が発生した場合に、交換対象の工具７７を一律に決定することができる。制御装置８１は、Ｓ２３で決定した交換対象の工具７７を工具交換位置に配置する（Ｓ２５）。尚、交換対象の決定方法は、上記した方法に限らない。例えば、複数の寿命工具のうち、タレット番号７３Ｄの最も大きい工具７７を交換対象として決定しても良い。あるいは、複数の寿命工具のうち、工具交換位置に最も近い工具７７を交換対象として決定しても良い。
【００５７】
一方、制御装置８１は、Ｓ２１において、通常管理が設定されていない、即ち、グループ管理が設定されていた場合（Ｓ２１：ＮＯ）、最も若番のタレット番号７３Ｄを含むグループ、あるいは１つの寿命工具を交換対象の工具７７に決定する（Ｓ２７）。例えば、複数の寿命工具のうち、タレット番号７３Ｄの最も小さい寿命工具がグループに属さない工具７７であれば、その寿命工具を交換対象の工具７７に決定する。また、例えば、タレット番号７３Ｄの最も小さい寿命工具がグループに属する工具７７であれば、その寿命工具を交換対象の工具７７に決定し、後述するＳ３５において次の交換対象をグループ内から決定するする。これにより、グループ管理の場合であっても、交換対象の工具７７を一律に決定することができる。制御装置８１は、Ｓ２７で決定した交換対象の工具７７を工具交換位置に配置する（Ｓ２５）。
【００５８】
Ｓ２５において、制御装置８１は、寿命工具と新たな工具７７と交換する位置である工具交換位置に、寿命工具を配置する。制御装置８１は、工具交換位置に応じてヘッド部駆動装置５５を制御し、ヘッド部５３を移動させつつ、タレット７３を回転させ、工具交換位置に寿命工具を位置させる。制御装置８１は、例えば、寿命工具の発生に応じて、上記したラダー回路に寿命の到達を示す信号を出力する。ラダー回路は、信号の入力に応じて、ヘッド部駆動装置５５を駆動するのに必要なＮＣプログラムを制御データＤ１から読み出し制御部８３のＣＰＵ等に実行させる。
【００５９】
一例として、タレット番号７３Ｄの「１番」の工具７７を交換する場合について説明する。この場合、上記したラダー回路は、タレット番号７３Ｄの「１番」を交換するＮＣプログラムを制御データＤ１から読み出す。図６に示すように、タレット番号７３Ｄの「１番」の工具７７は、例えば、工具交換処理を開始する前に切削加工で使用されており、チャック６１側に配置されている（図６の二点鎖線で示す位置）。この場合、制御装置８１は、例えば、タレット７３を１８０度だけ回転させ、１番の工具７７をＺ方向における前面側に配置する（図６の矢印１１１参照）。
【００６０】
図１０は、タレット７３を回転させた後に、１番の工具７７（寿命工具）を、工具交換位置Ｐ１まで移動させる状態を示している。図１０に示すように、工具交換位置Ｐ１は、例えば、作業位置の工具７７を１８０度だけ回転させた位置（図１０の実線の位置）から、Ｚ方向に沿って装置の前面側（コントローラ５側）に移動し、Ｘ方向に沿って下方へ移動した位置（図１０の二点鎖線の位置）となっている。
【００６１】
従って、本実施形態では、上記したようにスピンドル５１の第１回転軸Ｘ１は、工作機械装置１の設置面９（図１参照）と平行な方向であるＺ方向に沿った軸である。ヘッド部駆動装置５５は、Ｚ方向に沿ってヘッド部５３を移動可能に構成される。そして、工具交換位置Ｐ１は、スピンドル５１からＺ方向に沿って離間した位置に設定される。これによれば、スピンドル５１の第１回転軸Ｘ１の方向と、ヘッド部５３の移動方向とを同一方向（Ｚ方向）に合わせることで、作業機モジュール４Ｂ（工作機械装置１）の小型化を図ることができる。換言すれば、本実施形態の作業機モジュール４Ｂは、Ｙ方向の幅を短くすることで、装置の小型化を図ることができる。
【００６２】
制御装置８１は、タレット７３を１８０度だけ回転させた後（図１０の矢印１１１参照）、ヘッド部５３をＺ方向に沿ってスピンドル５１から離間する方向へ移動させる（図１０の矢印１１３参照）。次に、制御装置８１は、ヘッド部５３を下降させ、１番の工具７７、即ち、寿命工具を工具交換位置Ｐ１に位置させる（図１０の矢印１１５参照）。尚、制御装置８１は、工具交換位置Ｐ１への移動に際し、タレット７３を回転させた後にヘッド部５３を移動させたが、これに限らない。制御装置８１は、ヘッド部５３を移動させた後（矢印１１３，１１５）、タレット７３を回転させても良い（矢印１１１）。あるいは、制御装置８１は、タレット７３を回転させながらヘッド部５３を移動させ、寿命工具を工具交換位置Ｐ１に配置しても良い。
【００６３】
図９に戻り、制御装置８１は、Ｓ２５を実行し寿命工具を工具交換位置Ｐ１に配置した後、工具交換位置Ｐ１に配置した寿命工具のタレット番号７３Ｄをコントローラ５の液晶ディスプレイ８９に表示させる（Ｓ２９）。また、制御装置８１は、工具７７の交換が終了したか否かを受け付けるボタン（例えば、ＯＫボタン）を液晶ディスプレイ８９に表示させる。尚、制御装置８１は、作業機モジュール４Ｂのランプを点灯させたり、ブザーを鳴らしたりするなどして、寿命工具が発生したモジュールの位置をユーザに報知しても良い。
【００６４】
ここで、従来の工作機械では、寿命工具が発生すると、ユーザは、例えば、コントローラ５を操作して、交換したい工具７７が工具交換位置Ｐ１に配置されるようにヘッド部５３の移動操作や、タレット７３の回転操作を手動で行っていた。即ち、寿命工具を交換するために、工具交換位置Ｐ１まで工具７７を移動させる操作が必要であった。これに対し、本実施形態の作業機モジュール４Ｂでは、寿命工具の発生に応じて、その寿命工具を自動で工具交換位置Ｐ１に配置する。ユーザは、ランプの点灯などを確認し、作業機モジュール４Ｂの前まで移動した後、作業機モジュール４Ｂの前面パネル７（図１参照）を開ける。この時点で、寿命工具は、工具交換位置Ｐ１に配置されていることとなる。ユーザは、寿命工具をホルダ７５から取り外し、新たな工具７７をホルダ７５に取り付ける。これにより、交換作業の効率化を図ることができる。尚、制御装置８１は、例えば、Ｚ方向におけるチャック６１と前面パネル７との間にシャッターなどの扉が配置されている場合、その扉を自動で開閉しても良い。
【００６５】
制御装置８１は、図９のＳ２９において、ＯＫボタンを液晶ディスプレイ８９に表示させた後、そのＯＫボタンが押下されたか否かを判定する（Ｓ３１）。即ち、制御装置８１は、工具７７の交換を完了したことを示す操作入力があったか否かを判定する。制御装置８１は、ＯＫボタンを押下されるまで、Ｓ３１の判定を繰り返し実行する（Ｓ３１：ＮＯ）。
【００６６】
ユーザは、工具７７の交換後、液晶ディスプレイ８９に表示されたＯＫボタンをタッチ操作する。制御装置８１は、ＯＫボタンが押下されたことに応じて（Ｓ３１：ＹＥＳ）、まだ交換していない交換前（未交換）の寿命工具があるか否か、即ち、他の交換が必要な工具７７があるか否かを判定する（Ｓ３３）。
【００６７】
未交換の寿命工具が存在しない場合（Ｓ３３：ＹＥＳ）、制御装置８１は、図８及び図９に示す処理を終了する。制御装置８１は、新たなワーク４０の搬入等が発生するまで待機状態となる。そして、制御装置８１は、次の切削加工以降においても、同様に、図８及び図９に示す寿命工具の判定等を実行する。
【００６８】
一方、未交換の寿命工具が存在する場合（Ｓ３３：ＮＯ）、制御装置８１は、上記したＳ２３やＳ２７と同様に、次に交換する工具７７を決定する（Ｓ３５）。例えば、制御装置８１は、通常管理の場合、未交換の寿命工具のうち、タレット番号７３Ｄが小さい寿命工具を交換対象の工具７７に決定する（Ｓ３５）。また、例えば、制御装置８１は、グループ管理の場合、交換した工具７７と同一グループ内に属する工具７７（寿命工具）のうち、次にタレット番号７３Ｄの小さい工具７７を交換対象の工具７７に決定する（Ｓ３５）。また、例えば、制御装置８１は、グループ管理の場合、グループ内に未交換の寿命工具がなければ、他のグループや、グループに属さない工具７７のうち、タレット番号７３Ｄの最も小さい寿命工具を交換対象の工具７７に決定する。制御装置８１は、次の交換対象の工具７７を決定した後、Ｓ２５以降の処理を開始する。例えば、制御装置８１は、Ｓ２５において、タレット７３を回転させ、次の交換対象の工具７７を工具交換位置Ｐ１に配置する。
【００６９】
上記したように本実施形態の制御装置８１は、グループ管理の場合、グループに属する複数の工具７７（寿命工具）のうち、工具交換位置Ｐ１に配置された寿命工具を新たな工具７７に交換した旨を受け付ける（Ｓ３１）。そして、制御装置８１は、交換した旨を受け付けたことに応じて（Ｓ３１：ＹＥＳ）、タレット７３を回転させ、グループに属する工具７７のうち、交換前（未交換）の工具７７（寿命工具）を工具交換位置Ｐ１に配置する（再度実行されたＳ２５）。
【００７０】
これによれば、制御装置８１は、ユーザから交換した旨を受け付けると、グループに属する他の寿命工具を工具交換位置Ｐ１に配置する。これにより、ユーザは、グループ内の寿命工具を交換するごとに受け付け操作を行うことで、グループ内の寿命工具を順番に工具交換位置Ｐ１に配置させ交換することができる。従って、交換作業の効率化を図ることができる。
【００７１】
尚、制御装置８１は、工具交換位置Ｐ１の変更を受け付けても良い。上記したように、本実施形態の制御データＤ１には、工具交換位置Ｐ１の位置情報が設定されている。制御装置８１は、例えば、コントローラ５の操作部９１に対する操作入力に基づいて、工具交換位置Ｐ１の位置情報を変更しても良い。制御装置８１は、例えば、ユーザから操作部９１に対し、工具交換位置Ｐ１の変更を受け付けると、変更後のＸ方向の座標位置やＺ方向の座標位置を、工具交換位置Ｐ１の新たな位置情報として制御データＤ１に保存する。そして、制御装置８１は、寿命工具の発生に応じて、変更後の工具交換位置Ｐ１を基準に制御を行い、寿命工具を工具交換位置Ｐ１に配置する。
【００７２】
従って、本実施形態の制御装置８１は、工具交換位置Ｐ１の変更を操作部９１に受け付けたことに応じて、工具交換位置Ｐ１を変更する。制御装置８１は、工具交換位置Ｐ１の変更に応じて、変更後の工具交換位置Ｐ１を基準にヘッド部駆動装置５５を制御する。これによれば、ユーザは、工具交換位置Ｐ１のＸ方向における位置（上下の位置）や、Ｚ方向における位置（前後の位置）を変更でき、工具交換位置Ｐ１を任意に設定できる。このため、例えば、ユーザの身長や、工作機械装置１の高さ、作業機モジュール４Ｂの配置状況などに応じてユーザが望む工具交換位置Ｐ１を設定することができる。その結果、作業現場で最適な工具交換位置Ｐ１を設定することで、交換作業の効率化を図ることができる。
【００７３】
また、工具交換位置Ｐ１は、ヘッド部５３の可動可能な範囲内の位置で設定されることが好ましい。このため、制御装置８１は、ユーザから工具交換位置Ｐ１の変更を受け付けた場合に、ヘッド部５３の可動範囲外の位置を設定されたことを検出すると、設定エラーを報知しても良い。例えば、制御装置８１は、誤った位置を設定している旨をコントローラ５に表示する。
【００７４】
尚、制御装置８１の制御部８３は、図７に示すように、判定部９３と、交換位置設定部９５と、受付部９９と、位置変更部１０１とを有している。判定部９３等は、例えば、制御部８３のＣＰＵにおいて制御データＤ１（プログラムなど）を実行することで実現される処理モジュールである。また、判定部９３等を、ソフトウェアで構成せずに、ハードウェアで構成しても良い。
【００７５】
判定部９３は、タレット７３に保持された工具７７のうち、交換が必要な工具７７（寿命工具）が存在するか否かを判定する機能部である。交換位置設定部９５は、制御データＤ１に基づいて工具交換位置Ｐ１を設定する機能部である。受付部９９は、グループに属する複数の工具７７のうち、工具交換位置Ｐ１に位置させた寿命工具を新たな工具７７に交換した旨を受け付ける機能部である。位置変更部１０１は、工具交換位置Ｐ１の変更を操作部９１で受け付けたことに応じて、工具交換位置Ｐ１を変更する機能部である。
【００７６】
因みに、上記実施形態において、作業機モジュール４Ａ〜４Ｉは、工作機械の一例である。Ｚ方向は、軸方向の一例である。
【００７７】
以上、上記した本実施形態では、以下の効果を奏する。
本実施形態の制御装置８１は、寿命工具が存在すると判定した場合に（Ｓ１５：ＮＯ）、ヘッド部駆動装置５５を制御し、ヘッド部５３を移動させるとともに、タレット７３を回転させて寿命工具を工具交換位置Ｐ１に位置させる。これにより、切削加工で使用する工具７７に応じてタレット７３が回転し、寿命工具の回転位置が変更された場合であっても、工具７７の交換が発生すると、寿命工具を所定の工具交換位置Ｐ１に自動で移動させることができる。ユーザは、寿命工具の交換に先立って、ヘッド部５３の移動やタレット７３の回転の操作を行う必要がなく、工具交換位置Ｐ１に配置された寿命工具を交換するだけで交換作業を行うことができる。その結果、工具７７の交換作業の効率化を図り、ひいては生産効率の向上を図ることができる。
【００７８】
尚、本願は上記実施形態に限定されるものではなく、本願の要旨を逸脱しない範囲内で種々の改良、変形が可能であることは勿論である。
例えば、制御装置８１は、通常管理又はグループ管理の一方のみを実施できる構成でも良い。
また、制御装置８１は、工具交換位置Ｐ１に配置された寿命工具を新たな工具７７に交換したか否かを受け付けたが、これに限らない。制御装置８１は、交換したか否かを受け付けない構成でも良い。例えば、制御装置８１は、寿命工具を工具交換位置Ｐ１に配置してから所定時間だけ経過すると、タレット７３を回転させ工具交換位置Ｐ１の工具７７を変更することを報知しても良い。ユーザは、この報知を確認し、例えば、工具７７の交換が済んでいなければタレット７３の交換を停止させ交換作業を継続しても良い。
また、制御装置８１は、工具交換位置Ｐ１を変更できない構成でも良い。
また、上記実施形態では、工作機械装置１が、複数の作業機モジュール４Ａ〜４Ｉを備える構成であったが、これに限らず、作業機モジュール４Ｂのみを備える構成でも良い。
【００７９】
また、図３に示したワーク４０の形状は一例であり、適宜変更される。
また、第１回転軸Ｘ１が、Ｚ方向に沿った軸であったが、これに限らない。例えば、第１回転軸Ｘ１は、Ｚ方向と所定の角度をなす方向に沿った軸でも良い。
また、上記実施形態ではタレット７３の第２回転軸Ｘ２は、スピンドル５１の第１回転軸Ｘ１に対し直交する方向（Ｘ方向）に沿った軸であったが、これに限らない。第２回転軸Ｘ２は、第１回転軸Ｘ１と所定の角度をなす方向（第１回転軸Ｘ１に交差する方向）に沿った軸でも良い。
【符号の説明】
【００８０】
４Ａ〜４Ｉ  作業機モジュール（工作機械）、９  設置面、４０  ワーク、５１  スピンドル、５３  ヘッド部、５５  ヘッド部駆動装置、７３  タレット、７７  工具、８１  制御装置、９３  判定部、９５  交換位置設定部、９９  受付部、１０１  位置変更部、Ｐ１  工具交換位置、Ｘ１  第１回転軸、Ｘ２  第２回転軸。
【図１】
2019069426.tif 000003
【図２】
2019069426.tif 000004
【図３】
2019069426.tif 000005
【図４】
2019069426.tif 000006
【図５】
2019069426.tif 000007
【図６】
2019069426.tif 000008
【図７】
2019069426.tif 000009
【図８】
2019069426.tif 000010
【図９】
2019069426.tif 000011
【図１０】
2019069426.tif 000012
【国際調査報告】
2019069426.tif 000013
2019069426.tif 000014
2019069426.tif 000015
2019069426.tif 000016